【事件の表示】
　特願２００５−１４８１９５「光走査装置」拒絶査定不服審判事件〔平成１８年１１月３０日出願公開、特開２００６−３２３２７８〕について、次のとおり審決する。
【結　論】
　本件審判の請求は、成り立たない。
【理　由】
１　手続の経緯・本願発明
　本願は、平成１７年５月２０日の出願であって、平成２２年１１月１２日付けで手続補正がなされたところ、平成２３年９月１２日付けで拒絶査定がなされ、これに対し、同年１２月１９日に拒絶査定不服審判請求がなされ、その後、当審において平成２４年９月１２日付けで拒絶理由が通知され、同年１１月１９日付けで手続補正がなされたものである。
　
　そして、本願の請求項に係る発明は、平成２４年１１月１９日付け手続補正による補正後の明細書、特許請求の範囲及び図面の記載からみて、その特許請求の範囲の請求項１及び２に記載された事項によって特定されるものと認められるところ、その請求項１に係る発明は次のものである。
　
「複数の光源と、該光源からのビームを主走査方向に偏向する偏向器と、該偏向器にて偏向されたビームを被走査面上に結像する第１の結像光学系と、該第１の結像光学系を透過したビームをそれぞれの被走査面に分離して導くための複数の光路折返しミラーと、分離された各ビームを被走査面上に結像する第２の結像光学系とを備えた光走査装置において、
　前記複数の光源からのビームは前記偏向器に対して副走査方向に所定の傾斜角度をもって斜入射され、
　前記偏向器は各光源に対して共通に設置されており、
　前記第１の結像光学系を構成するレンズはその面形状が全て副走査方向に対称であり、かつ、前記偏向器の左右両側に同じものが配置され、
　前記第２の結像光学系は全ての光路にて同じ形状のレンズを用いており、かつ、同じ方向に配置され、該レンズの少なくとも１面の面形状は主走査方向及び副走査方向ともに非対称であり、
　前記光路折返しミラーの枚数に関して、前記偏向器に対して一方の上側光路の配置枚数をＡ、一方の下側光路の配置枚数をＢ、他方の下側光路の配置枚数をＣ、他方の上側光路の配置枚数をＤとしたとき、第２の結像光学系の前段では以下の条件を満足し、
　｜Ａ−Ｂ｜＝２×ｉ＋１
　｜Ｃ−Ｄ｜＝２×ｊ＋１
　｜Ａ−Ｄ｜＝２×ｍ＋１
　但し、ｉ，ｊ，ｍは０以上の整数
　第２の結像光学系の後段では各光路で光路折返しミラーの枚数が同数であること、
　を特徴とする光走査装置。」（以下「本願発明」という。）
　
　
２　引用刊行物の記載事項
（１）引用刊行物１
　当審において通知した拒絶の理由に引用した、本願の出願前に頒布された刊行物である特開平１１−１０９２６５号公報（以下「引用刊行物１」という。）には、図とともに下記の事項が記載されている。
　
　ア　「【特許請求の範囲】
【請求項１】光源と、該光源からの光束を以後の光学系にカップリングするカップリングレンズと、該カップリングレンズによりカップリングされた光束を主走査対応方向に長い線像として結像させる第１結像系と、上記線像の結像位置近傍に偏向反射面を有し、上記偏向反射面による反射光束を等角速度的に偏向させる光偏向器と、該光偏向器により偏向された光束を被走査部に光スポットとして集光するとともに、光スポットによる光走査を等速化する第２結像系とを有する光走査装置において、
光源とカップリングレンズと第１結像系を含む光源側光学系が複数組あり、
光偏向器の同一偏向反射面に光束を導光する２組の光源側光学系は、偏向反射面の回転軸に直交する平面に対して互いに逆の側に配備され、
上記２組の光源側光学系から共通の偏向反射面に導光されたのち、上記偏向反射面により反射された２光束を含む面内で、上記導光された２光束が交叉するように、各光源側光学系が配備されており、
これら共通の偏向反射面により偏向された各光束は、第２結像系により互いに異なる被走査部を光走査することを特徴とする光走査装置。
…
【請求項４】請求項１または２または３記載の光走査装置において、
光源側光学系は４組あり、これら光源側光学系は２組つづ対を成し、各対をなす光源側光学系は、それぞれが共通の偏向反射面に導光されるものであり、
各光源側光学系からの光束は、フルカラー画像を多重転写により生成する画像形成用のイエロー、マゼンタ、シアン、ブラックもしくはレッド、グリーン、ブルー、ブラックの４画像を書き込むための光束として用いられることを特徴とする光走査装置。
…
【請求項６】請求項１または２または３または４または５記載の光走査装置において、
共通の偏向反射面により偏向される各光束を互いに異なる被走査部に導光結像させる第２結像系は、被走査部へ偏向光束を導光する光路上に１以上の光路折り曲げ用のミラーを有し、
各被走査部における走査線の曲がりが同じ向きになるように、共通の偏向反射面から各被走査部に至る光路上に配備される光路折り曲げ用のミラーの数を、各光路で異ならせたことを特徴とする光走査装置。」
　
　イ　「【０００３】
【発明が解決しようとする課題】この発明は、複数の偏向光束により複数の画像を同時に書き込む方式の光走査装置において、複数の光束に対して光偏向器を共通化して光走査装置の低コスト化を図り、且つ、光走査装置をコンパクトに構成することを課題とする。
【０００４】この発明はまた、上記課題に加えて走査線の曲がりの影響を有効に軽減することを別の課題とする。」
　
　ウ　「【０００９】
【発明の実施の形態】図１に於いて、図面に直交する方向は、「光偏向器」としての回転多面鏡４の「回転軸に平行な方向」である。図１の符号１ａは２つの光源を表現している。２つの光源は上記回転軸の方向から見たとき「互いに重なり合」う。同様に、符号２ａは「回転軸の方向から見たときに互いに重なり合う２つのカップリングレンズ」を表し、符号３ａは「回転軸の方向から見たときに互いに重なり合う２つのシリンドリカルレンズ」を表している。即ち、２つの光源１ａ、２つのカップリングレンズ２ａ、２つのシリンドリカルレンズ３ａは「２組の光源側光学系」をなす。全く同様に、２つの光源１ｂ、２つのカップリングレンズ２ｂ、２つのシリンドリカルレンズ３ｂは、回転多面鏡４の回転軸方向から見たとき互いに重なり合う２組の光源側光学系をなしている。
【００１０】２つの光源１ａ、２つのカップリングレンズ２ａ、２つのシリンドリカルレンズ３ａによる「２組の光源側光学系」は、回転多面鏡４の偏向反射面４１を共通にし、２つの光源１ｂ、２つのカップリングレンズ２ｂ、２つのシリンドリカルレンズ３ｂによる「２組の光源側光学系」は、回転多面鏡４の偏向反射面４２を共通にしている。…
【００１１】図３は、回転多面鏡４の偏向反射面４１に光束を導光入射させる、２組の光源側光学系の配置状態を示している。図の上下方向が「回転多面鏡４の回転軸」の方向で、この方向において２組の光源側光学系は互いに重なり合う。符号１０５および１１５は、２つの光源部ユニットを示す。光源部ユニット１０５は、光源としての半導体レーザ１０１と、半導体レーザ１０１からの光束をカップリングするカップリングレンズ１０２とを有する。光源部ユニット１１５は光源としての半導体レーザ１１１と、半導体レーザ１１１からの光束をカップリングするカップリングレンズ１１２とにより構成される。…光源部ユニット１０５から射出した実質的な平行光束は第１結像系であるシリンドリカルレンズ１０３により副走査対応方向に集束され、偏向反射面４１の近傍に、主走査対応方向（図３において図面に直交する方向）に長い線像として結像する。同様に、光源部ユニット１１５から射出した実質的な平行光束はシリンドリカルレンズ１１３により副走査対応方向に集束され、偏向反射面４１の近傍に、主走査対応方向に長い線像として結像する。図３に示すように、光源１０１とカップリングレンズ１０２とシリンドリカルレンズ１０３とによる光源側光学系と、光源１１１とカップリングレンズ１１２とシリンドリカルレンズ１１３とによる光源側光学系とは、光偏向器である回転多面鏡４の回転軸に直交する平面４Ａの両側にある。特にこの実施の形態では、同一の偏向反射面に光束を導かれる２組の光源側光学系は、平面４Ａを対称面として対称的に配備される。
【００１２】図１と図３との対応関係では、図１における、２つの光源１ａが半導体レーザ１０１，１１１を表し、２つのカップリングレンズ２ａはカップリングレンズ１０２，１１２を、また２つのシリンドリカルレンズ３ａはシリンドリカルレンズ１０３，１１３を表しているのである。図１における、２つの光源１ｂ、２つのカップリングレンズ２ｂ、２つのシリンドリカルレンズ３ｂによる（偏向反射面４２を共有する）２組の光源側光学系も、上に説明した（偏向反射面４１を共有する）２組の光源側光学系と同様である。
【００１３】図１において、偏向反射面４１により反射された２光束は、回転多面鏡４の等速回転により等角速度的に偏向し、第２結像系を構成する２枚のレンズ５ａ，６ａを介して被走査部７ａ上に光スポットとして集光し、被走査部７ａを等速的に光走査する。被走査部７ａは「実際には偏向反射面４１により偏向された２光束が別個に光走査する２つの被走査部を１つにまとめて示したもの」である。同様に、偏向反射面４２により反射された２光束は、第２結像系を構成する２枚のレンズ５ｂ，６ｂを介して被走査部７ｂ（各光束が別個に光走査する２つの被走査部を１つにまとめて示す）上に光スポットとして集光し、被走査部７ｂを等速的に光走査する。
【００１４】図２は、図１に示した光走査装置を適用した「カラー画像形成装置」を主走査対応方向から見た状態を示す。…図２において、回転多面鏡４は４つの独立した光源からの４光束Ｌ１，Ｌ２，Ｌ３，Ｌ４を同時に偏向させる。光束Ｌ１，Ｌ２は回転多面鏡４の同じ偏向反射面（図１の偏向反射面４１）により、光束Ｌ３，Ｌ４は回転多面鏡４の同じ偏向反射面（図１の偏向反射面４２）により偏向される。偏向された光束Ｌ１は主レンズ５ａを透過し、ミラー９１ａにより光路を折り曲げられ、補助レンズ６Ｋを透過して作像ユニット１０Ｋに入射する。光束Ｌ２は回転多面鏡４により偏向されると主レンズ５ａを透過し、ミラー８１ａにより光路を折り曲げられ、補助レンズ６Ｃを透過し、ミラー８２ａにより再度光路を折り曲げられて作像ユニット１０Ｃに入射する。光束Ｌ３は回転多面鏡４により偏向されると主レンズ５ｂを透過し、ミラー９１ｂにより光路を折り曲げられ、補助レンズ６Ｙを透過し、作像ユニット１０Ｙに入射する。光束Ｌ４は、偏向されると主レンズ５ｂを透過し、ミラー８１ｂにより光路を折り曲げられ、補助レンズ６Ｍを透過し、ミラー８２ｂにより再度光路を折り曲げられて作像ユニット１０Ｍに入射する。」
　
　エ　「【００２４】ところで、この発明の光走査装置のように、同一の偏向反射面で偏向される２光束が互いに交叉するようにする場合、第２結像系の光軸に対し、各偏向光束の入射方向が副走査対応方向に傾くため、被走査部における光スポットの移動軌跡である走査線に不可避的に曲がりが発生する。この「走査線の曲がり」は、書き込まれる画像に歪みをもたらすから、できる限り曲がりを小さく抑える必要がある。…図２に示すカラー画像形成装置では、各偏向光束で書き込まれる線像が、黒、シアン、マゼンタ、イエローの各色トナーで顕像化され、各色トナー画像の重畳によりカラー画像が形成される。このとき、互いに重ねられる各色トナー画像において、これを形成する際の走査線曲がりの向きが、例えば光束Ｌ１とＬ２とで、また光束Ｌ３とＬ４とで互いに逆に向いていると、互いに重なるべき画素、例えば黒トナー画像の画素とシアントナー画像の画素とが「互いに逆向きに曲がった走査線の曲がり」により空間的に分離して「色ズレ」の現象を生じる。これを避けるには、各光束による被走査部での「走査線曲がりが同じ向きになる」ようにすればよい。
【００２５】図２の場合には、各被走査部における走査線曲がりは、光束Ｌ１、Ｌ２について同じ向きになり、光束Ｌ３，Ｌ４につき同じ向きになるが、光束Ｌ１、Ｌ２と光束Ｌ３、Ｌ４とでは互いに逆になる。これは、光束Ｌ１、Ｌ２の組と、光束Ｌ３，Ｌ４の組が「互いに鏡面対称的」になっているからである。このような不具合を避けるためには、光束Ｌ３，Ｌ４に対する光路のレイアウトを図８のように変えれば良い。即ち、光束Ｌ３は、ミラー８１ｂ，８２ｂを介して感光体１００Ｍに入射させ、光束Ｌ４はミラー９１ｂを介して感光体１００Ｙに入射させるのである。
【００２６】同一の偏向反射面で偏向される２光束Ｌ１，Ｌ２を例にとって説明すると、これら光束Ｌ１，Ｌ２のうち、光束Ｌ２のように偏向反射面により、図の斜め上方へ反射される光束を「蹴り上げ光束」とよび、光束Ｌ１のように偏向反射面により図の斜め下方へ反射される光束を「蹴り下げ光束」と呼ぶ。この例に倣えば、図８の光束Ｌ３は蹴り下げ光束、光束Ｌ４は蹴り上げ光束である。
【００２７】蹴り上げ光束と蹴り下げ光束とでは、第２結像系の主レンズに対する入射方向が、副走査対応方向において主レンズの光軸に関して逆になる。従って、本来走査線曲がりは（もしこれら光束を共通の被走査部に結像させたとすれば）、光束Ｌ１と光束Ｌ２とで逆の向きになり、光束Ｌ３と光束Ｌ４とで互いに逆になるはずである。上記実施の形態では、蹴り上げ光束Ｌ２と蹴り下げ光束Ｌ４に対しては光路折り曲げ用に２枚のミラーを用い、蹴り下げ光束Ｌ１と蹴り上げ光束Ｌ３に対しては１枚のミラーを用い、「光路折り曲げ用のミラーの数を異ならせる」ことにより、各光束による走査線の向きが同じ向きに揃うようにしている。
【００２８】即ち、光路折り曲げ用のミラー９１ａ，８１ａ，８２ａ，９１ｂ，８１ｂ，８２ｂの位置における「走査線の曲がりの状況」及び各被走査部における「走査線曲がりの状況」を、符号２９１ａ，２８１ａ，２８２ａ，２９１ｂ，２８１ｂ，２８２ｂ，２００Ｋ，２００Ｃ，２００Ｍ，２００Ｙに示す。走査線曲がり状況２００Ｋ，２００Ｃ，２００Ｍ，２００Ｙから明らかなように、各被走査部での走査線の曲がりは同じ向きになっている。即ち、上記実施の形態は、共通の偏向反射面により偏向される各光束を互いに異なる被走査部に導光結像させる第２結像系が、被走査部へ偏向光束を導光する光路上に１以上の光路折り曲げ反射鏡を有し、各被走査部上における走査線の曲がりが同じ向きになるように、共通の偏向反射面から各被走査部に至る光路上に配備される光路折り曲げ反射鏡の数を、各光路で異ならせたものである（請求項６）。
【００２９】上記の光路折り曲げ用のミラーの数は図８に示す場合に限らず、装置のレイアウトにより種々の場合が可能であり、一般的には、ミラーの数は以下の条件を満足するようにすれば良い。光偏向器が同時に偏向させる光束をＮ光束とする。これら偏向光束をサフィックス：ｉで区別し、第ｉ番目の偏向光束に対する「パラメータ」をＰｉとする。そして第ｉ番目の偏向光束の光路上に配備される光路屈曲用のミラーの数をＭｉとする。パラメータ：Ｐｉの値を、蹴り上げ光束に対し「＋１」、蹴り下げ光束に対し「−１」とするとき、条件式：
ΣＰｉ・Ｍｉ＝０（ｉ＝１〜Ｎ）
が満足されるようにミラー数：Ｍｉを設定すれば、走査線曲がりの向きが各被走査部において同じ向きになる。
【００３０】図８の例では、Ｐ１＝−１，Ｐ２＝＋１，Ｐ３＝−１，Ｐ４＝＋１であり、Ｍ１＝１，Ｍ２＝２，Ｍ３＝２，Ｍ４＝１であるから、
（−１)(１）＋（＋１)(２）＋（−１)(２）＋（＋１)(１）＝０
で、上記条件は満足される（図２の光学配置では満足されない）。勿論、光路上に配備する光路折り曲げ用のミラーの数は、レイアウトの許す範囲で少ない方がよく、図８の例は「最小枚数」を実現した例である。」
　
　オ　「【図面の簡単な説明】
…
【図８】請求項６記載の発明の実施の１形態を説明するための図である。」
　
　カ　上記ウに照らして図３をみると、「光源１０１」からの光束は、「（回転多面鏡４の）偏向反射面４１」に、「平面４Ａ」の上側から所定の角度で斜入射し、「光源１１１」からの光束は、「（回転多面鏡４の）偏向反射面４１」に、前記「平面４Ａ」の下側から所定の角度で斜入射することがみてとれる。
　
　キ　上記ウ（【００１４】）及び図２に照らして、図８をみると、回転多面鏡４は４つの独立した光源からの４光束Ｌ１，Ｌ２，Ｌ３，Ｌ４を同時に偏向させ、光束Ｌ１，Ｌ２は回転多面鏡４の同じ偏向反射面（偏向反射面４１）により、光束Ｌ３，Ｌ４は回転多面鏡４の同じ偏向反射面（偏向反射面４２）により偏向され、偏向された光束Ｌ１は主レンズ５ａを透過し、ミラー９１ａにより光路を折り曲げられ、補助レンズ６Ｋを透過して感光体１００Ｋに入射し、光束Ｌ２は回転多面鏡４により偏向されると主レンズ５ａを透過し、ミラー８１ａにより光路を折り曲げられ、補助レンズ６Ｃを透過し、ミラー８２ａにより再度光路を折り曲げられて感光体１００Ｃに入射し、光束Ｌ３は回転多面鏡４により偏向されると主レンズ５ｂを透過し、ミラー８１ｂにより光路を折り曲げられ、補助レンズ６Ｍを透過し、ミラー８２ｂにより再度光路を折り曲げられて感光体１００Ｍに入射し、光束Ｌ４は、偏向されると主レンズ５ｂを透過し、ミラー９１ｂにより光路を折り曲げられ、補助レンズ６Ｙを透過し、感光体１００Ｙに入射することがみてとれる。
　
　上記の記載を総合すると、引用刊行物１には、次の発明（以下「引用発明１」という。）が記載されていると認められる。
　
「光源と、該光源からの光束を以後の光学系にカップリングするカップリングレンズと、該カップリングレンズによりカップリングされた光束を主走査対応方向に長い線像として結像させる第１結像系と、上記線像の結像位置近傍に偏向反射面を有し、上記偏向反射面による反射光束を等角速度的に偏向させる光偏向器と、該光偏向器により偏向された光束を被走査部に光スポットとして集光するとともに、光スポットによる光走査を等速化する第２結像系とを有する光走査装置であって、
　２つの光源１ａは、光偏向器としての回転多面鏡４の回転軸の方向から見たとき互いに重なり合い、同様に、２つのカップリングレンズ２ａは回転軸の方向から見たときに互いに重なり合い、２つのシリンドリカルレンズ３ａは回転軸の方向から見たときに互いに重なり合い、２つの光源１ａ、２つのカップリングレンズ２ａ、２つのシリンドリカルレンズ３ａは『２組の光源側光学系』をなし、全く同様に、２つの光源１ｂ、２つのカップリングレンズ２ｂ、２つのシリンドリカルレンズ３ｂは、回転多面鏡４の回転軸方向から見たとき互いに重なり合う『２組の光源側光学系』をなしており、２つの光源１ａ、２つのカップリングレンズ２ａ、２つのシリンドリカルレンズ３ａによる『２組の光源側光学系』は、回転多面鏡４の偏向反射面４１を共通にし、２つの光源１ｂ、２つのカップリングレンズ２ｂ、２つのシリンドリカルレンズ３ｂによる『２組の光源側光学系』は、回転多面鏡４の偏向反射面４２を共通にしており、光源部ユニット１０５は、光源としての半導体レーザ１０１と、半導体レーザ１０１からの光束をカップリングするカップリングレンズ１０２とを有し、光源部ユニット１１５は、光源としての半導体レーザ１１１と、半導体レーザ１１１からの光束をカップリングするカップリングレンズ１１２とにより構成され、光源１０１とカップリングレンズ１０２とシリンドリカルレンズ１０３とによる光源側光学系と、光源１１１とカップリングレンズ１１２とシリンドリカルレンズ１１３とによる光源側光学系とは、光偏向器である回転多面鏡４の回転軸に直交する平面４Ａの両側にあり、光源１０１からの光束は、回転多面鏡４の偏向反射面４１に、前記平面４Ａの上側から所定の角度で斜入射し、光源１１１からの光束は、回転多面鏡４の偏向反射面４１に、前記平面４Ａの下側から所定の角度で斜入射し、
　発明の実施の１形態において、回転多面鏡４は４つの独立した光源からの４光束Ｌ１，Ｌ２，Ｌ３，Ｌ４を同時に偏向させ、光束Ｌ１，Ｌ２は回転多面鏡４の同じ偏向反射面（偏向反射面４１）により、光束Ｌ３，Ｌ４は回転多面鏡４の同じ偏向反射面（偏向反射面４２）により偏向され、偏向された光束Ｌ１は主レンズ５ａを透過し、ミラー９１ａにより光路を折り曲げられ、補助レンズ６Ｋを透過して感光体１００Ｋに入射し、光束Ｌ２は回転多面鏡４により偏向されると主レンズ５ａを透過し、ミラー８１ａにより光路を折り曲げられ、補助レンズ６Ｃを透過し、ミラー８２ａにより再度光路を折り曲げられて感光体１００Ｃに入射し、光束Ｌ３は回転多面鏡４により偏向されると主レンズ５ｂを透過し、ミラー８１ｂにより光路を折り曲げられ、補助レンズ６Ｍを透過し、ミラー８２ｂにより再度光路を折り曲げられて感光体１００Ｍに入射し、光束Ｌ４は、偏向されると主レンズ５ｂを透過し、ミラー９１ｂにより光路を折り曲げられ、補助レンズ６Ｙを透過し、感光体１００Ｙに入射するようになっており、
　各光束による被走査部での走査線曲がりが同じ向きになるように、共通の偏向反射面により偏向される各光束を互いに異なる被走査部に導光結像させる第２結像系が、被走査部へ偏向光束を導光する光路上に１以上の光路折り曲げ反射鏡を有し、各被走査部上における走査線の曲がりが同じ向きになるように、共通の偏向反射面から各被走査部に至る光路上に配備される光路折り曲げ反射鏡の数を、各光路で異ならせた、光走査装置。」
　
（２）引用刊行物２
　当審において通知した拒絶の理由に引用した、本願の出願前に頒布された刊行物である特開２００３−５１１３号公報（以下「引用刊行物２」という。）には、図とともに下記の事項が記載されている。
　
　ア　「【０００１】
【発明の属する技術分野】本発明は、カラーレーザープリンターやカラーレーザーコピーに利用される走査光学系に、関する。」
　
　イ　「【０００６】本発明…の課題は、回転多面鏡に入射される複数本のレーザー光束が回転多面鏡の中心軸に直交する平面に対して傾けられている構成を採りながら、低コストなレンズ群を利用して走査線湾曲を補正可能な走査光学系を、提供することである。」
　
　ウ　「【００１６】
【発明の実施の形態】本実施形態の走査光学系は、複数のレーザー光束を同時に偏向することによりレーザー光束と同数の走査対象に対して一度に走査を行えるものであり、特に、印刷用紙を１回搬送する間にイエローＹ，マゼンダＭ，シアンＣ，ブラックＢの色成分のトナー像を順次転写してカラー画像を高速に印刷するタイプのカラーレーザープリンターに組み込まれて使用されるものである。以下、本実施形態の走査光学系について、図面を参照しながら説明する。なお、上述したようなカラーレーザープリンターにこの走査光学系が組み込まれた際に、そのプリンターができるだけ小型化されるようにするために、本実施形態の走査光学系では、ポリゴンミラーによって偏向された４本のレーザー光束の光路が、折返しミラーによって折り曲げられている（図３参照）。
…
【００２９】…本実施形態の走査光学系は、走査された４本のレーザー光束Ｌ１〜Ｌ４の光路が、折返しミラーによって折り曲げられている。具体的には、図３に示されるように、４組の後側レンズ群１２が、前側レンズ群１１の光軸から図３の下方へ平行にオフセットした仮想直線上において、所定の間隔（具体的には、各々を透過後のレーザー光束Ｌ１〜Ｌ４のビーム軸が等間隔となるような間隔）に配置されている。
【００３０】また、前側レンズ群１１と各後側レンズ群１２ｙ，１２ｍ，１２ｃ，１２ｂとの間の光路には、前側レンズ群１１を透過した４本のレーザー光束Ｌ１〜Ｌ４をそれらに個々に対応する後側レンズ群１２へ向けて反射させるための２枚一組の折返しミラー（第１及び第２折返しミラー６，７）が、介在している。具体的には、前側レンズ群１１を透過した４本のレーザー光束Ｌ１〜Ｌ４のビーム軸上には、夫々、そのビーム軸を一旦、対応する後側レンズ群１２から離れる側へ折り曲げる第１折返しミラー６が、配置されている。そして、これら第１折返しミラー６によって折り曲げられたビーム軸上には、このビーム軸を後側レンズ群１２に入射させるように更に折り曲げる第２折返しミラー７が、配置されている。従って、第２折返しミラー７によって折り曲げられたビーム軸は、第１折返しミラー６によって折り曲げられる前のビーム軸に交差する。」
　
　エ　「【００３４】図４は、第１の実施例による走査光学系の主走査方向における説明図であり、図５及び図６は、第１の実施例による走査光学系の副走査方向における説明図である。なお、図４は、シリンドリカルレンズ３から走査対象面（感光ドラム２０ｙ，２０ｍ，２０ｃ，２０ｂの感光面）Ｓまでにおけるレーザー光束Ｌ１〜Ｌ４に対する光路を示し、図５は、レーザー光束Ｌ２，Ｌ３に対する光路を示し、図６は、レーザー光束Ｌ１，Ｌ４に対する光路を示している。これらの図では、第１及び第２折返しミラー６，７を省略し、前側レンズ群１１と後側レンズ群１２ｙ，１２ｍ，１２ｃ，１２ｂとの間の光路を直線状に展開して示している。…
【００３５】この第１の実施例の結像光学系１０の前側レンズ群１１は、両面が共に回転対称非球面として形成された第１レンズ１１ａと，入射側の面が平面に形成されるとともに射出側の面が球面として形成された第２レンズ１１ｂとから、構成されている。また、その後側レンズ群１２ｙ，１２ｍ，１２ｃ，１２ｂは、それぞれ、入射側の面が回転非対称非球面として形成されるとともに射出側の面が球面として形成された１枚のレンズから、構成されている。…
【００３６】後側レンズ１２ｍ，１２ｃの入射側の回転非対称非球面は、その面に接する仮想的な基準平面からのサグ量が基準平面内で主走査方向及び副走査方向の二次元座標を変数とする多項式により定義される光学面であり、後側レンズ群の基準軸とはこの二次元座標の原点を通る軸である。後側レンズ１２ｙ，１２ｂの入射側の回転非対称非球面は、後側レンズ１２ｍ，１２ｃの回転対称非球面と同一の多項式により定義される光学面の、レンズ外形中心と基準軸との距離を変えたものである。
【００３７】図４乃至図６に示される第１の実施例の走査光学系の近軸における具体的な数値構成を、表１に示す。この表１において、記号αは、主走査平面Ｐ１に投影した場合におけるポリゴンミラー５に入射するレーザー光束Ｌ１〜Ｌ４の前側レンズ群１１の光軸に対する角度であり、記号β１は、副走査平面Ｐ２に投影した場合におけるポリゴンミラー５に入射するレーザー光束Ｌ２，Ｌ３のビーム軸の前側レンズ群１１の光軸に対する角度（絶対値）であり、記号β２は、副走査平面Ｐ２に投影した場合におけるポリゴンミラー５に入射するレーザー光束Ｌ１，Ｌ４のビーム軸の前側レンズ群１１の光軸に対する角度（絶対値）であり、記号ｒは、レンズ面の近軸曲率半径（単位は［ｍｍ］）であり、記号ｄは、直後のレンズ面との間における前側レンズ群１１の光軸上での距離（単位は［ｍｍ］）であり、記号ｎは、設計波長７８０ｎｍでの各レンズの屈折率であり、偏心量は、前側レンズ群の光軸に対する後側レンズ基準軸の副走査方向へのシフト量（単位は［ｍｍ］）であり、ずらし量は、レンズの外形中心と基準軸との副走査方向の距離（単位は［ｍｍ］）である。また、（内／外）のうち、「内」はレーザー光束Ｌ２，Ｌ３に関する光学系を示し、「外」はレーザー光束Ｌ１，Ｌ４に関する光学系を示す。…
【００３８】
【表１】
α＝８０°　　　β１＝１．１５°　　　β２＝３．４６°
ずらし量（内／外）＝０．６／２．０
面番号　　　ｒ　　　　ｄ（内／外）　　　　ｎ　　　　偏心量（内／外）
　１　−７２．４０　　　５．０　　　１．４８６２
　２　−６６．００　　　２．０　　　　　　−
　３　　　　∞　　　　　１０．０　　１．５１０７
　４　−１２１．４０　１０８．０／１１０．４　−
　５　−７５６．７０　　５．０　　　１．４８６２　２．１１／６．２２
　６　−１０４５．７０　　　−　　　　　　−　　　　　　　−
この表１において、 第１面及び第２面が前側レンズ群１１の第１レンズ１１ａを示し、第３面及び第４面が前側レンズ群１１の第２レンズ１１ｂを示し、第５面及び第６面が後側レンズ１２を示している。
…
【００４１】
…
また、第５面は、その面に接する仮想的な基準平面からのサグ量が基準平面内で主走査方向及び副走査方向の二次元座標を変数とする多項式により定義される光学曲面であり、この２次元座標は、基準平面に直交する単一の基準軸とこの基準平面との交点を原点として定義される。具体的には、第５面は、基準平面上での主走査方向の高さをＹ、副走査方向の高さをＺの点（Ｙ，Ｚ）におけるサグ量Ｘ（Ｙ，Ｚ）が以下の式（２）で表される回転非対称非球面である。
【００４２】
　Ｘ（Ｙ，Ｚ）＝（Ｙ２＋Ｚ２）／［ｒ［１＋√〔１−（κ＋１）（Ｙ２＋Ｚ２）／ｒ２〕]]＋ΣΣＢ（ｍ，ｎ）ＹｍＺｎ　…　（２）
上式（２）中、ｒは基準軸上の曲率半径、κは円錐係数、Ｂ（ｍ，ｎ）は非球面係数である。…」
　
　オ　図４、図５に照らして、上記エを読むと、「第５面」とは、「後側レンズ１２」の「ポリゴンミラー５」側の面であることが理解できる。
　
　上記の記載を総合すると、引用刊行物２には、次の発明（以下「引用発明２」という。）が記載されていると認められる。
　
「回転多面鏡に入射される複数本のレーザー光束が回転多面鏡の中心軸に直交する平面に対して傾けられている構成を採りながら、低コストなレンズ群を利用して走査線湾曲を補正可能な走査光学系であって、
　結像光学系１０の前側レンズ群１１は、両面が共に回転対称非球面として形成された第１レンズ１１ａと，入射側の面が平面に形成されるとともに射出側の面が球面として形成された第２レンズ１１ｂとから、構成されており、また、その後側レンズ群１２ｙ，１２ｍ，１２ｃ，１２ｂは、それぞれ、入射側の面が回転非対称非球面として形成されるとともに射出側の面が球面として形成された１枚のレンズから、構成されており、
　前側レンズ群１１と各後側レンズ群１２ｙ，１２ｍ，１２ｃ，１２ｂとの間の光路には、前側レンズ群１１を透過した４本のレーザー光束Ｌ１〜Ｌ４をそれらに個々に対応する後側レンズ群１２へ向けて反射させるための２枚一組の折返しミラー（第１及び第２折返しミラー６，７）が介在しており、
　後側レンズ１２ｍ，１２ｃの入射側の回転非対称非球面は、その面に接する仮想的な基準平面からのサグ量が基準平面内で主走査方向及び副走査方向の二次元座標を変数とする多項式により定義される光学面であり、後側レンズ１２ｙ，１２ｂの入射側の回転非対称非球面は、後側レンズ１２ｍ，１２ｃの回転対称非球面と同一の多項式により定義される光学面の、レンズ外形中心と基準軸との距離を変えたものであり、
　後側レンズ１２のポリゴンミラー５側の面である第５面が、基準平面上での主走査方向の高さをＹ、副走査方向の高さをＺの点（Ｙ，Ｚ）におけるサグ量Ｘ（Ｙ，Ｚ）が以下の式（２）で表される回転非対称非球面である、走査光学系。
　　Ｘ（Ｙ，Ｚ）＝（Ｙ２＋Ｚ２）／［ｒ［１＋√〔１−（κ＋１）（Ｙ２＋Ｚ２）／ｒ２〕]]＋ΣΣＢ（ｍ，ｎ）ＹｍＺｎ　…　（２）
　上式（２）中、ｒは基準軸上の曲率半径、κは円錐係数、Ｂ（ｍ，ｎ）は非球面係数である。」
　
　
３　対比
　本願発明と引用発明１を対比する。
　
（１）引用発明１の「（４つの独立した）光源」、「（４つの独立した光源からの４光束Ｌ１，Ｌ２，Ｌ３，Ｌ４を同時に偏向させる）回転多面鏡４」、「『（回転多面鏡４の偏向反射面４１により偏向された光束Ｌ１，Ｌ２を透過し、それぞれを感光体１００Ｋ，１００Ｃに入射させる）主レンズ５ａ』及び『（回転多面鏡４の偏向反射面４２により偏向された光束Ｌ３，Ｌ４を透過し、それぞれを感光体１００Ｍ，１００Ｙに入射させる）主レンズ５ｂ』」、「『ミラー９１ａ』、『ミラー８１ａ』、『ミラー８２ｂ』、『ミラー８１ｂ』、『ミラー８２ｂ』及び『ミラー９１ｂ』」、「『補助レンズ６Ｋ』、『補助レンズ６Ｃ』、『補助レンズ６Ｍ』及び『補助レンズ６Ｙ』」及び「光走査装置」は、それぞれ、本願発明の「（複数の）光源」、「（該光源からのビームを主走査方向に偏向する）偏向器」、「（該偏向器にて偏向されたビームを被走査面上に結像する）第１の結像光学系」、「（該第１の結像光学系を透過したビームをそれぞれの被走査面に分離して導くための複数の）光路折返しミラー」、「（分離された各ビームを被走査面上に結像する）第２の結像光学系」及び「光走査装置」に相当する。
　
（２）引用発明１は、「光源１０１からの光束」が「回転多面鏡４の偏向反射面４１に、前記平面４Ａの上側から所定の角度で斜入射し」、「光源１１１からの光束」が「回転多面鏡４の偏向反射面４１に、前記平面４Ａの下側から所定の角度で斜入射」するものであるから、本願発明の「前記複数の光源からのビームは前記偏向器に対して副走査方向に所定の傾斜角度をもって斜入射され」との事項を備える。
　
（３）引用発明１は、「回転多面鏡４」が「４つの独立した光源からの４光束Ｌ１，Ｌ２，Ｌ３，Ｌ４を同時に偏向させ」るから、本願発明の「前記偏向器は各光源に対して共通に設置されており」との事項を備える。
　
　よって、本願発明と引用発明１とは、
「複数の光源と、該光源からのビームを主走査方向に偏向する偏向器と、該偏向器にて偏向されたビームを被走査面上に結像する第１の結像光学系と、該第１の結像光学系を透過したビームをそれぞれの被走査面に分離して導くための複数の光路折返しミラーと、分離された各ビームを被走査面上に結像する第２の結像光学系とを備えた光走査装置において、
　前記複数の光源からのビームは前記偏向器に対して副走査方向に所定の傾斜角度をもって斜入射され、
　前記偏向器は各光源に対して共通に設置されている、
　光走査装置。」
の点で一致し、以下の点で相違するものと認められる。  
 　  
　ａ　第１の結像光学系を構成するレンズが、本願発明では、その面形状が全て副走査方向に対称であり、かつ、偏向器の左右両側に同じものが配置されるのに対し、引用発明１では、その面形状が全て副走査方向に対称であるのか否か明らかではなく、また、偏向器の左右両側に同じものが配置されるのか否か明らかでない点（以下「相違点１」という。）
　ｂ　本願発明は、第２の結像光学系が、全ての光路にて同じ形状のレンズを用いており、かつ、同じ方向に配置され、該レンズの少なくとも１面の面形状は主走査方向及び副走査方向ともに非対称であり、また、光路折返しミラーの枚数に関して、偏向器に対して一方の上側光路の配置枚数をＡ、一方の下側光路の配置枚数をＢ、他方の下側光路の配置枚数をＣ、他方の上側光路の配置枚数をＤとしたとき、第２の結像光学系の前段では以下の条件を満足し、
　｜Ａ−Ｂ｜＝２×ｉ＋１
　｜Ｃ−Ｄ｜＝２×ｊ＋１
　｜Ａ−Ｄ｜＝２×ｍ＋１
　但し、ｉ，ｊ，ｍは０以上の整数
第２の結像光学系の後段では各光路で光路折返しミラーの枚数が同数であるのに対し、引用発明は、第２の結像光学系が、そのようになっているのか否か明らかでなく、また、光路折返しミラーの枚数に関して、そのようにはなっていない点（以下「相違点２」という。）
　
　
４　判断
　上記相違点につき検討する。
［相違点１］について
　引用発明１の「主レンズ５ａ」及び「主レンズ５ｂ」は、その面形状が如何なるものであるのか明らかではないところ、それらの製造コストを下げるために、その面形状を全て副走査方向に対称なものとなし、かつ、同じもので構成することは、当業者が適宜になし得ることである。
［相違点２］について
　引用発明１の「光走査装置」は、「各光束による被走査部での走査線曲がりが同じ向きになるように、共通の偏向反射面から各被走査部に至る光路上に配備される光路折り曲げ反射鏡の数を、各光路で異ならせた」ものである。したがって、引用発明１において、各光束による被走査部での走査線曲がりを同じ向きにするためには、「共通の偏向反射面」から「各被走査部」に至る光路上に配備される「光路折り曲げ反射鏡」の数を、各光路において異ならせればよいのであって、各補助レンズを該「光路折り曲げ反射鏡」に対してどの位置に配置するかは、当業者が任意選択可能な事項であるといえる。そうすると、引用発明１において、「補助レンズ６Ｋ」、「補助レンズ６Ｃ」、「補助レンズ６Ｍ」及び「補助レンズ６Ｙ」の各補助レンズを、「ミラー９１ａ」、「ミラー８１ａ」、「ミラー８２ｂ」、「ミラー８１ｂ」、「ミラー８２ｂ」及び「ミラー９１ｂ」の各ミラーに対して、具体的にどの位置に配置するかは、それ自体、当業者が任意選択できる設計的事項といえるから、例えば「ミラー９１ａ」を「補助レンズ６Ｋ」と「感光体１００Ｋ」の間に配置し、かつ、「ミラー９１ｂ」を「補助レンズ６Ｙ」と「感光体１００Ｙ」の間に配置し、あるいは、「ミラー８２ａ」を「ミラー８１ａ」と「補助レンズ６Ｃ」の間に配置し、かつ、「ミラー８２ｂ」を「ミラー８１ｂ」と「補助レンズ６Ｍ」の間に配置し、その結果、上記相違点２に係る本願発明１の条件式を満たすものとなすことは、当業者が適宜になし得ることである。また、引用発明１の「補助レンズ６Ｋ」、「補助レンズ６Ｃ」、「補助レンズ６Ｍ」及び「補助レンズ６Ｙ」は、その形状が如何なるものであるのか明らかではないが、上記２（２）によれば、引用刊行物２には、「回転多面鏡に入射される複数本のレーザー光束が回転多面鏡の中心軸に直交する平面に対して傾けられている構成」の「走査光学系」において、「走査線湾曲を補正」するために、「（第１折り返しミラー６及び第２折り返しミラー７の後側に配置された）後側レンズ１２」の入射側に、基準平面上での主走査方向の高さＹ、副走査方向の高さＺの点（Ｙ，Ｚ）におけるサグ量Ｘ（Ｙ，Ｚ）が式（２）で表される回転非対称非球面を用いる発明（引用発明２）が記載されているから、「補助レンズ６Ｋ」及び「補助レンズ６Ｙ」、あるいは、「補助レンズ６Ｃ」及び「補助レンズ６Ｍ」を上記のように配置した光走査装置において、走査線湾曲を補正するために、「補助レンズ６Ｋ」、「補助レンズ６Ｃ」、「補助レンズ６Ｍ」及び「補助レンズ６Ｙ」として、主走査方向及び副走査方向ともに非対称である回転非対称非球面を用いる同じ形状のものを採用して、上記相違点２に係る本願発明の構成となすことは、当業者が容易になし得ることである。
　
　また、本願発明の奏する効果が、引用発明１、２から当業者が予測困難な程の格別顕著なものということはできない。
　
　したがって、本願発明は、引用刊行物１、２に記載された発明に基いて当業者が容易に発明をすることができたものである。
　
　
５　むすび
　以上のとおり、本願発明は、引用刊行物１、２に記載された発明に基いて当業者が容易に発明をすることができたものであるから、特許法第２９条第２項の規定により特許を受けることができない。
　
　よって、結論のとおり審決する。